(57)【要約】【課題】タックラベルの破れを防いで開梱作業の効率を高め、かつ低コストのタックラベルを提供する。【解決手段】文字、図画及び図形の少なくとも一つを含む画像２６が描画された主面である描画面２５と、描画面２５に対する裏面に形成されて粘着性を有する粘着領域２４１及びこの粘着領域２４１の粘着力よりも粘着力が弱い非粘着領域２４２を有する粘着面２４と、によってタックラベル２１、２２を構成する。非粘着領域２４２は画像２６に基づいて定められた粘着面２４の上縁部ｕに接し、または上縁部ｕと近接し、かつ上縁部ｕと反対の方向に延出する延出部２４２ａを有し、延出部２４２ａは、延出方向Ａの長さが粘着面２４の延出方向Ａの長さよりも短く、延出方向Ａと交差する交差方向Ｂの長さが粘着面２４の交差方向Ｂの長さよりも短く、粘着領域２４１は、非粘着領域２４２を交差方向Ｂに挟む領域を有している。【選択図】図２
2019113805.tif 000002
【特許請求の範囲】
【請求項１】
物品を収容する収容部及び前記収容部を閉じる蓋部を有する梱包物に貼り付けられるタックラベルであって、
文字、図画及び図形の少なくとも一つを含む画像が描画された主面である描画面と、
前記描画面に対する裏面に形成されて粘着性を有する粘着領域及び当該粘着領域の粘着力よりも粘着力が弱い非粘着領域を有する粘着面と、を有し、
前記非粘着領域は、前記画像に基づいて定められた前記粘着面の上縁部に接し、または前記上縁部と近接し、かつ前記上縁部と反対の方向に延出する延出部を有し、
前記延出部は、延出方向の長さが前記粘着面の前記延出方向の長さよりも短く、前記延出方向と交差する交差方向の長さが前記粘着面の前記交差方向の長さよりも短く、
前記粘着領域は、前記非粘着領域を前記交差方向に挟む領域を有する、タックラベル。
【請求項２】
前記延出部は、前記上縁部、または前記上縁部と近接する位置よりも前記上縁部と反対側の端部において前記交差方向の長さが短い、請求項１に記載のタックラベル。
【請求項３】
前記粘着領域と前記非粘着領域との境界線の少なくとも一部が曲線である、請求項２に記載のタックラベル。
【請求項４】
前記非粘着領域は、前記上縁部または前記上縁部に近接する位置を含み、前記交差方向に延出する交差延出部をさらに有する、請求項１から３のいずれか一項に記載のタックラベル。
【請求項５】
物品を収容する収容部及び前記収容部を閉じる蓋部を有する梱包物と、
前記収容部を構成する壁部の離間する部分のそれぞれ外表面に貼り付けられる少なくとも二つのタックラベルと、
二つの前記タックラベル、二つの前記タックラベルの間にある前記外表面及び前記蓋部に貼り付けられる粘着テープと、を含み、
前記タックラベルの少なくとも一方は、文字、図画及び図形の少なくとも一つを含む画像が描画された主面である描画面と、前記描画面に対する裏面に形成されて粘着性を有する粘着領域、当該粘着領域の粘着力よりも粘着力が弱い非粘着領域を有する粘着面と、を有し、前記非粘着領域は、前記粘着テープが貼り付けられた状態で前記粘着テープと重なる重なり部を有する、梱包ユニット。
【請求項６】
前記非粘着領域は、前記画像に基づいて定められた前記粘着面の上縁部に接し、または前記上縁部と近接し、かつ前記上縁部と反対の方向に延出する延出部を有し、前記重なり部を超えて前記延出部の延出方向または前記延出方向に対する交差方向に延出する、請求項５に記載の梱包ユニット。
【発明の詳細な説明】
【技術分野】
【０００１】
本発明は、タック性を有するタックラベル及びこのタックラベルを含む梱包ユニットに関する。
【背景技術】
【０００２】
物品の輸送にあっては、物品をダンボール箱等の箱体に収容し、蓋を粘着テープ止めして梱包することが行われている。このような梱包では、多くの場合、箱体の蓋となる平面部材を付き合わせ、この境界に粘着テープを貼り付ける。そして、貼り付けられた粘着テープの境界よりも長い部分を上面に対する側面に貼り付けて固定する。また、梱包では、物品に関する情報を付与するためにタック性を有するタックラベルを箱体に貼り付ける場合もある。特許文献１には、側面に貼り付けられるＯＰＰ（Oriented Poly Propylene）テープ下にタックラベルを貼り付ける剥離易化ラベルが記載されている。
タックラベルの上に粘着テープが貼り付けられた梱包物は、受取側において開梱される際にタックラベルと共に粘着テープを剥がされる。このとき、作業者は、一方のタックラベルを剥がすことによって粘着テープをタックラベルと共に剥がし、他方のタックラベルとの間にある粘着テープを剥がしながら他方のタックラベルまでを一度に剥がすように作業する。このとき、作業者が剥がしたタックラベルから粘着テープ及び他方のタックラベルまでが一気に剥がされて、開梱にかかる作業が円滑かつ短時間で済むことが好ましい。
【０００３】
上記の作業では、粘着テープのタックラベルに対する粘着力と、タックラベルの箱体に対する相対的な粘着力やタックラベルの強度によってはタックラベルが破れることがある。タックラベルが破れた場合、箱体上にタックラベルが残るため、作業者は箱体に残ったタックラベルを剥がして取り除く作業を行うことになる。タックラベル片を取り除く作業は、多くの箱体を開梱する作業現場において作業効率を低下させ、開梱にかかる時間を長くする。特に、外部から輸送されて来た放射性薬剤を使用する医療機関等においては、放射性薬剤の半減期が数時間と短いため、放射性薬剤を収容する箱体をできるだけ短時間のうちに開梱することが要求される。また、箱体の収容物の誤認を防ぐために、放射性薬剤を取り出した箱体からは、収容物の情報等を記載したラベルを剥がすことが法令によって規定されているため、箱体の開梱と同時にタックラベルを剥がす必要がある。
上記した特許文献１は、タックラベルの破れを防止するため、タックラベルにポリオレフィンやポリエチレンテレフタレート等の合成紙を使用する、また、このような合成紙を多層構造にすることが記載されている。
【先行技術文献】
【特許文献】
【０００４】
【特許文献１】特開２０１２−２０１３９５号公報
【発明の概要】
【発明が解決しようとする課題】
【０００５】
しかしながら、タックラベルに合成紙を用いる、さらには合成紙を多層構造にすることは、タックラベルにかかるコストを上昇させ、物品の輸送にかかるコストを高めることになるために望ましくない。
本発明は、上記点に鑑みてなされたものであり、タックラベルが破れることを防いで開梱作業の効率を高め、かつ低コストのタックラベル及びこのタックラベルを含む梱包ユニットに関する。
【課題を解決するための手段】
【０００６】
本発明のタックラベルは、物品を収容する収容部及び前記収容部を閉じる蓋部を有する梱包物に貼り付けられるタックラベルであって、文字、図画及び図形の少なくとも一つを含む画像が描画された主面である描画面と、前記描画面に対する裏面に形成されて粘着性を有する粘着領域及び当該粘着領域の粘着力よりも粘着力が弱い非粘着領域を有する粘着面と、を有し、前記非粘着領域は、前記画像に基づいて定められた前記粘着面の上縁部に接し、または前記上縁部と近接し、かつ前記上縁部と反対の方向に延出する延出部を有し、前記延出部は、延出方向の長さが前記粘着面の前記延出方向の長さよりも短く、前記延出方向と交差する交差方向の長さが前記粘着面の前記交差方向の長さよりも短く、前記粘着領域は、前記非粘着領域を前記交差方向に挟む領域を有する。
【０００７】
本発明の梱包ユニットは、物品を収容する収容部及び前記収容部を閉じる蓋部を有する梱包物と、前記収容部を構成する壁部の離間する部分のそれぞれ外表面に貼り付けられる少なくとも二つのタックラベルと、二つの前記タックラベル、二つの前記タックラベルの間にある前記外表面及び前記蓋部に貼り付けられる粘着テープと、を含み、前記タックラベルの少なくとも一方は、文字、図画及び図形の少なくとも一つを含む画像が描画された主面である描画面と、前記描画面に対する裏面に形成されて粘着性を有する粘着領域、当該粘着領域の粘着力よりも粘着力が弱い非粘着領域を有する粘着面と、を有し、前記非粘着領域は、前記粘着テープが貼り付けられた状態で前記粘着テープと重なる重なり部を有する。
【発明の効果】
【０００８】
本発明は、タックラベルの破れを防いで開梱作業の効率を高め、かつ低コストのタックラベル及びこのタックラベルを含む梱包ユニットを提供することができる。
【図面の簡単な説明】
【０００９】
【図１】本発明の一実施形態の梱包ユニットを説明するための斜視図である。
【図２】（ａ）は本発明の一実施形態のタックラベルの描画面を示した図である。（ｂ）はタックラベルの粘着面を示した図である。
【図３】（ａ）から（ｄ）は、本発明の一実施形態のタックラベルの粘着領域と非粘着領域のバリエーションを説明するための図である。
【図４】（ａ）、（ｂ）は、本発明の一実施形態のタックラベルの粘着領域と非粘着領域のバリエーションを説明するための他の図である。
【発明を実施するための形態】
【００１０】
以下、本発明の一実施形態を図面に基づいて説明する。なお、すべての図面において、同様の構成要素には同様の符号を付し、重複する説明は適宜省略する。また、本実施形態の図面は、本実施形態のタックラベル及び梱包ユニットの形状、機能及び各部の位置関係を説明するための模式図であり、その長さや幅及び形状を正確に示しているとは限らない。
【００１１】
＜梱包ユニット＞
図１は、本実施形態の梱包ユニット１を説明するための斜視図である。梱包ユニット１は、物品５を収容する収容部１２及び収容部１２を閉じる蓋部１０ａ、１０ｂを有する梱包物１０を含んでいる。本実施形態では、物品５を例えば、短時間のうちに開梱することが要求される放射性薬剤とする。梱包物１０は、ダンボール箱等の折畳み及び組み立てが可能な箱体である。梱包物１０は、上面１１、側面１０ｃ、１０ｄ、１０ｅ、１０ｆ及び下面１０ｇを有している。上面１１及び下面１０ｇは、側面１０ｃから側面１０ｆの図１における上下方向（図１中の＋ｚ方向、−ｚ方向）に延びている部位を折り畳んで形成される。図１においては、上面１１が側面１０ｃの上方向に延びる蓋部１０ａと、側面１０ｅの上方向に延びる蓋部１０ｂとを付き合わせるようにして形成されている。
本実施形態の梱包物１０は、外観が凡そ立方体形状を有している。
【００１２】
なお、図示されていないが、側面１０ｃから側面１０ｆは、それぞれ上方向に延びる部位及び下方向に延びる部位を有している。このような部位は、対応する側面と一続きであって、側面との間に折り畳み線が入っている。側面１０ｄの上方向に延びる部位と側面１０ｆの上方向に延びる部位とは折畳まれて、上面１１の下に位置している。また、下面１０ｇは側面１０ｃの下方向に延びる部位と側面１０ｅの下方向に延びる部位とを付き合わせるようにして形成されている。側面１０ｄの下方向に延びる部位と側面１０ｆの下方向に延びる部位とは折畳まれて、下面１０ｇの上に位置している。
以上のことから、収容部１２は、上面１１、側面１０ｃから側面１０ｆ及び下面１０ｇによって構成されていて、上面１１、側面１０ｃから側面１０ｆ及び下面１０ｇは、収容部１２を構成する壁部である。
【００１３】
また、梱包ユニット１は、上面１１、側面１０ｃから側面１０ｆ及び下面１０ｇのうち、離間する部分である側面１０ｄ、１０ｆのそれぞれ外表面に貼り付けられるタックラベル２１、２２を有している。ここで、外表面とは、上面１１、側面１０ｃから側面１０ｆ及び下面１０ｇの物品５が置かれる側と反対側に向かう側の面である。本実施形態では、二つのタックラベル２１、２２が側面１０ｄ、１０ｆにそれぞれ貼り付けられている例を示したが、本実施形態はタックラベルの数を二つに限定するものではなく、タックラベルを二つ以上貼り付けるものであればよい。
【００１４】
さらに、梱包ユニット１は、二つのタックラベル２１、２２及び二つのタックラベル２１、２２の間にある側面１０ｄの外表面、蓋部１０ａ、１０ｂ及び側面１０ｆの外表面に貼り付けられる粘着テープ３を含んでいる。粘着テープ３は、蓋部１０ａ、１０ｂに貼り付けられる上面貼付部３ａ、側面１０ｄに貼り付けられる側面貼付部３ｂ、側面１０ｆに貼り付けられる側面貼付部３ｃで構成される。粘着テープ３には、蓋部１０ａ、１０ｂの境界に貼り付けられて蓋部１０ａ、１０ｂ間が離れることを防ぐ粘着力を有する部材であることが要求される。このような粘着テープ３の粘着剤は、ラバー系のものであってもよいし、アクリル系のものであってもよい。粘着剤がラバー系のものはアクリル系のものよりも強い粘着力が得られるが、粘着テープ３は、タックラベル２１、２２の粘着力との関係や梱包物１０の強度等に応じて適宜選択される。
【００１５】
なお、本発明者は、梱包ユニット１の収容部１２に物品５を収容し、粘着テープ３を蓋部１０ａ、１０ｂの境界に貼り付けて中空に吊り下げた状態で２４時間放置し、粘着テープ３が蓋部１０ａ、１０ｂから剥がれるか否かを実験により確認した。実験の結果、２４時間経過後も粘着テープ３は蓋部１０ａ、１０ｂから剥がれず、蓋部１０ａ、１０ｂの機能が損なわれることがなかった。このような実験の結果は、物品５を放射性薬剤とした場合に放射性薬剤には半減期が数時間以内であるものもあることから、裏面の少なくとも一部に非粘着領域を有するタックラベル２１、２２と粘着テープ３が、梱包から開梱までの時間範囲において梱包ユニット１の梱包に充分対応できることを表している。
また、粘着テープ３は、タックラベル２１、２２の上に貼り付けられるので、タックラベル２１、２２の視認性を損なわないことが好ましい。このような観点から、粘着テープ３には透明のＯＰＰテープや半透明のビニールテープ等が好ましい。
【００１６】
図２（ａ）、図２（ｂ）は、本実施形態のタックラベル２１を説明するための図である。なお、本実施形態では、タックラベル２１、２２が同様の構成を有しているため、タックラベル２１の説明をタックラベル２２の説明に代えるものとする。
タックラベル２１は、図示しないシート状の基材と、この基材の一方の主面に形成された図示しない粘着層とを有している。基材の粘着層が形成されている側を粘着面２４、粘着面２４の裏面を描画面２５と記し、描画面２５には物品５に関する情報が印刷、または手書きで描画されている。
描画面２５に書き込まれる情報は、例えば、物品５の名称や特性、製造元、製造あるいは梱包の時期、使用期限及び取り扱いに関する情報等、物品５に関する情報であればどのようなものであってもよい。
また、上記基材にはフィルム製、紙製、不織布や布、アルミニウム等が適用できる。本実施形態は、基材の材料を特に限定するものではないが、紙製のものがコストの観点から好ましい。また、粘着剤は、主成分がアクリル系やゴム系、シリコーン系等のものがあり、目的や用途に合わせて選択される。本実施形態の粘着剤は、物品５の梱包時に梱包物１０に貼り付けて開梱時に剥がすことが可能な再剥離タイプの粘着剤である。
【００１７】
図２（ａ）はタックラベル２１の描画面２５を示している。描画面２５は、文字、図画及び図形の少なくとも一つを含む画像２６が描画されたタックラベル２１の主面である。ここで、文字は、種類の別なく言語を書き記す、所謂文字の他、数字や記号までも含むものとする。また、図画は、モチーフに関わらず、モチーフの形状やイメージを表す図であり、図形は○、あるいは△といった幾何学的な形状を示す図であるものとする。画像２６は、物品５にかかる上記情報を示している。本実施形態では、物品５を放射性薬剤とした例をあげ、画像２６に物品５が放射性薬剤であることを表すものとしている。
【００１８】
図２（ｂ）は、タックラベル２１の粘着面２４を示している。粘着面２４は、描画面２５に対する裏面に形成されていて、粘着性を有する粘着領域２４１、この粘着領域２４１の粘着力よりも粘着力が弱い非粘着領域２４２を有している。また、非粘着領域２４２は、粘着テープ３が貼り付けられた状態で粘着テープ３と重なる重なり部３００を有している。
図２（ａ）、図２（ｂ）においては、粘着テープ３を破線で表してタックラベル２１に重ねて示している。また、図２（ｂ）においては、重なり部３００を粘着領域２４１よりも細かい網掛けにして示している。
【００１９】
粘着領域２４１は、粘着領域２４１の全面に図示しない粘着層が一様に設けられているものであってもよい。また、粘着領域２４１は、網目状、あるいはドット状に図示しない粘着層が形成されているものであってもよい。非粘着領域２４２は、非粘着領域２４２の全面に粘着層が形成されていないものであってもよい。また、非粘着領域２４２は、網目状、あるいはドット状に図示しない粘着層が形成されているものであってもよい。網目状、あるいはドット状に図示しない粘着層を形成した場合、形成された粘着層の粗密によって粘着力を調整することができる。本実施形態でいう「非粘着領域」は、粘着領域２４１に比べて粘着力が弱いものをいい、粘着力が０であることに限定されるものではない。このため、本実施形態は、粘着領域２４１に網目状、あるいはドット状に粘着層を設け、非粘着領域２４２に粘着領域２４１よりも疎に網目状あるいはドット状の粘着層を設けるものであってもよい。
【００２０】
本実施形態は、二つのタックラベル２１、２２が両方とも上記のように構成されているものに限定されず、少なくとも後に剥がされるタックラベルが上記構成を有していればよい。なお、本実施形態では、図１に示した側面１０ｆに貼り付けられたタックラベル２２が先に剥がされ、側面１０ｄに貼り付けられたタックラベル２１が粘着テープ３と共に後から剥がされるものとして以降の説明をする。
【００２１】
このような本実施形態のタックラベル２１によれば、タックラベル２１のうちの粘着テープ３の下の部分（重なり部３００）の粘着力が弱くなる。このため、本実施形態は、全面が粘着領域２４１であるタックラベル（以下、「比較例」と記す）よりも弱い力で側面１０ｄの外表面から粘着テープ３と共にタックラベル２１を剥がすことができるようになる。このような構成によれば、粘着テープ３を介してタックラベル２１に加わる力が比較例よりも小さくなることから、粘着テープ３と接触する接触部にかかる力と接触しない非接触部にかかる力との差が小さくなり、比較例よりもタックラベル２１を接触部と非接触部との境界で破れ難いものにすることができる。
【００２２】
図２（ｂ）に示した非粘着領域２４２は、全体が四角形の粘着面２４上に形成されている。本実施形態では、図２（ｂ）における四角形の上辺を上縁部ｕ、下辺を下縁部ｄとする。粘着面２４の上下は、描画面２５における画像２６に基づいて定められる。即ち、画像２６は、１８０度回転非対称あるいは上下反転非対称であり、情報を読取る際に上下の認識が可能であると考えられる。本実施形態では、画像２６の上方向を粘着面２４の上、画像２６の下方向を粘着面２４の下として定めている。
図２（ｂ）に示すように、本実施形態の非粘着領域２４２は、上縁部ｕに接し、かつ上縁部ｕと反対の方向（下縁部ｄの側）に延出する延出部２４２ａを有している。そして、非粘着領域２４２は、重なり部３００を超えて延出部２４２ａの延出方向Ａまたは延出方向Ａに対する交差方向Ｂに延出している。
【００２３】
このような構成により、本実施形態は、粘着テープ３との重なり部３００ばかりでなく、重なり部３００の周辺のタックラベル２１の粘着力を弱くすることができる。非粘着領域２４２の重なり部３００を超えて延出する範囲は、タックラベル２１としての好適な粘着力に応じて異なっている。図２（ａ）に示した延出部２４２ａは、重なり部３００を超えて下縁部ｄの側に延出していることから、タックラベル２１にかかる力が剥がれる動作の半ば、あるいは後半まで比較例より低下する。このため、タックラベル２１は粘着テープ３に連れて側面１０ｄから剥がれるようになる。
また、非粘着領域２４２は、交差方向Ｂに延出する交差延出部２４２ｂを有している。交差延出部２４２ｂが上縁部ｕに接していることにより、本実施形態は、タックラベル２１の剥がれ始めの粘着力を低減することができる。タックラベル２１を剥がす場合、タックラベル２１においては、剥離に必要な張力が剥がれ開始に最も大きく、一箇所が剥がれた後の剥離に必要な張力は小さくなる。このため、上記構成は、粘着テープ３を一気に剥がしてタックラベル２１を粘着テープ３と共に梱包物１０から取り除くことができる。
【００２４】
＜タックラベル＞
次に、本実施形態の粘着領域と非粘着領域について説明する。
上記の図２（ａ）、図２（ｂ）に示した本実施形態のタックラベル２１は、いずれも物品５を収容する収容部１２及び収容部１２を閉じる蓋部１０ａ、１０ｂを有する梱包物１０に貼り付けられる。
そして、タックラベル２１は、画像２６が描画された主面である描画面２５（図２（ａ））と、粘着領域２４１及び非粘着領域２４２を有する粘着面２４（図２（ｂ））と、を有している。非粘着領域２４２は、画像２６に基づいて定められた粘着面２４の上縁部ｕに接し、かつ上縁部ｕと反対の方向に延出する延出部２４２ａを有している。延出部２４２ａは、延出方向Ａの長さが粘着面２４の延出方向Ａの長さよりも短く、交差方向Ｂの長さが粘着面２４の交差方向Ｂの長さよりも短い。また、粘着領域２４１は、非粘着領域を交差方向Ｂに挟む領域を有している。
【００２５】
なお、タックラベル２１の非粘着領域２４２は、上縁部ｕと接することに限定されるものでなく、上縁部ｕと近接するものであってもよい。ここで、本実施形態でいう「近接する」とは、非粘着領域２４２の重心が粘着面２４の延出方向Ａの重心点よりも上縁部ｕに近いことを指す。また、本実施形態の「近接」は、図２（ｂ）に示すように、非粘着領域２４２が後述する交差延出部２４２ｂを有する場合、交差延出部２４２ｂと上縁部ｕとの最短距離が交差延出部２４２ｂの幅よりも短いことを指す。つまり、本実施形態でいう「近接」は、非粘着領域２４２と上縁部ｕとの距離が、粘着テープ３が剥がされる際にタックラベル２１の上縁部ｕが破れることを抑止する効果を有する距離の範囲にあることを指す。
【００２６】
図２（ｂ）に示した非粘着領域２４２では、延出部２４２ａの延出方向Ａの長さが粘着面２４のＡ方向の長さの半分以下になっている。このため、本実施形態は、下縁部ｄからタックラベル２１と側面１０ｄとの間に空気が入ることを防ぐことができる。また、本実施形態は、延出部２４２ａの交差方向Ｂの長さが粘着面２４のＢ方向の長さよりも短く、非粘着領域２４２の両横には粘着領域２４１が形成されている。このため、本実施形態は、交差方向Ｂと平行な辺からタックラベル２１と側面１０ｄとの間に空気が入ることを防ぎ、タックラベル２１が側面１０ｄから「浮く」ことを抑えることができる。なお、交差方向Ｂと平行な辺からタックラベル２１と側面１０ｄとの間に空気が入ることを防ぐには、例えば、交差延出部２４２ｂの交差方向Ｂの長さの合計が、粘着面２４の交差方向Ｂの長さの半分以下とすることが好ましい。
【００２７】
その上、本実施形態は、タックラベル２１の剥離時に最も張力がかかる上縁部ｕにおいて粘着テープ３が破れることを抑制し、タックラベル２１と共に一気に剥がれるようにすることができる。
また、本実施形態は、非粘着領域２４２が粘着テープ３と重なる（重なり部３００を有する）ことにより、粘着テープ３を介してタックラベル２１に加えられる張力が粘着力の弱い非粘着領域２４２に集中してかかる。このとき、タックラベル２１は、非粘着領域２４２を中心にして側面１０ｄから比較的弱い張力によって効率的に引き剥がされて、破れ難くなる。
【００２８】
さらに、本実施形態のタックラベル２１は、梱包ユニットにおいても述べたように、非粘着領域２４２が、上縁部ｕ、または上縁部ｕに近接する位置を含み、交差方向Ｂに延出する交差延出部２４２ｂを有している。交差延出部２４２ｂを設けたことにより、タックラベル２１の側面１０ｄに対する粘着力はタックラベル２１が剥がれ始める部位において弱くなる。このことにより、本実施形態は、剥がれ始め時に、タックラベル２１が粘着テープ３の張力に抗して破れる可能性を低減することができる。
上記したように、非粘着領域２４２が延出部２４２ａ、交差延出部２４２ｂの両方を有している場合、本実施形態では、延出部２４２ａと交差延出部２４２ｂとが重なる部分は、延出部２４２ａであって、かつ交差延出部２４２ｂであるとする。このため、図２（ｂ）に示すように、延出部２４２ａの長さＬ１は交差延出部２４２ｂと重なった部分を含んだ長さであり、交差延出部２４２ｂの長さＬ２は延出部２４２ａと重なった部分を含んだ長さである。
【００２９】
図３（ａ）から図３（ｄ）、図４（ａ）及び図４（ｂ）は、タックラベルの粘着領域と非粘着領域のバリエーションを説明するための図である。
図３（ａ）に示した粘着面２４は、粘着領域２４３、非粘着領域２４４を有している。非粘着領域２４４は、粘着面２４の上縁部ｕの中心と下縁部ｄの中心とを結んだ中心線ｃを含む位置に形成され、中心線ｃ上で粘着テープ３と重なる重なり部３０１を形成する。非粘着領域２４４は延出方向Ａに延びる延出部２４４ａを有し、交差延出部を有していない。このような非粘着領域２４４と粘着領域２４３との境界線ｓは、全て直線で構成されて、全体がローマ字の「Ｉ」を描くような形状になる。非粘着領域２４４は、全体が延出部２４４ａとなっている例である。
【００３０】
図３（ｂ）に示した粘着面２４は、粘着領域２４５、非粘着領域２４６を有している。非粘着領域２４６は、中心線ｃを含む位置に形成され、中心線ｃ上で粘着テープ３と重なる重なり部３０２を形成する。非粘着領域２４６は延出方向Ａに延びる延出部２４６ａを二箇所有し、かつ、交差方向Ｂに延びる交差延出部２４６ｂを有している。非粘着領域２４６と粘着領域２４５との境界線ｓは、全て直線で構成されている。
また、非粘着領域２４６は、上縁部ｕと接触することがなく、上縁部ｕに近接して配置されている。このような非粘着領域２４６は、上縁部ｕからタックラベル２１と側面１０ｄとの間に空気が入ることを防ぎ、タックラベル２１が側面１０ｄから「浮く」ことを抑えることができる。
非粘着領域２４６の交差延出部２４６ｂは、交差方向Ｂの長さが粘着面２４の交差方向Ｂの長さよりも短くなっている。このような構成は、粘着面２４と側面１０ｄとの間にタックラベル２１の交差方向Ｂの辺から空気が入ることを防ぎ、タックラベル２１が側面１０ｄから「浮く」ことを抑えることができる。
【００３１】
図３（ｃ）に示した粘着面２４は、粘着領域２４７、非粘着領域２４８を有している。非粘着領域２４８は、中心線ｃを含む位置に形成され、中心線ｃ上で粘着テープ３と重なる重なり部３０３を形成する。非粘着領域２４８は延出方向Ａに延びる延出部２４８ａ及び交差方向Ｂに延びる交差延出部２４８ｂを有している。このような非粘着領域２４８と粘着領域２４７との境界線ｓは、全て直線で構成されて、全体がローマ字の「Ｔ」を描くような形状になる。
また、図３（ｃ）に示した非粘着領域２４８は、図２（ｂ）に示した非粘着領域２４２と比較して、上縁部ｕに接触せず、近接している点で相違する。このような非粘着領域２４８は、非粘着領域２４２よりも上縁部ｕから空気が入り難くなり、タックラベル２１の浮きを防止する効果が高い。
【００３２】
図３（ｄ）に示した粘着面２４は、粘着領域２４９及び二つの非粘着領域２５０ａ、２５０ｂを有している。非粘着領域２５０ａ、２５０ｂは、中心線ｃを挟んで平行に形成され、中心線ｃを挟んで二箇所の重なり部３０４を形成する。図３（ｄ）の構成では、重なり部３０４の粘着力を粘着領域２４９の粘着力の他、非粘着領域２５０ａ、２５０ｂの間隔等によっても調整することができる。
このように、本実施形態は、非粘着領域の数を限定するものでなく、離間する非粘着領域を任意の数備えるものであってもよい。
【００３３】
図４（ａ）に示した粘着面２４は、粘着領域２５１、非粘着領域２５２を有している。非粘着領域２５２は、中心線ｃを含む位置に形成され、中心線ｃ上で粘着テープ３と重なる重なり部３０５を形成する。非粘着領域２５２は延出方向Ａに延びる延出部２５２ａ及び交差方向Ｂに延びる交差延出部２５２ｂを有している。非粘着領域２５２と粘着領域２５１との境界線ｓは、曲線になっている。なお、本実施形態は、図４（ａ）のように境界線ｓが全て曲線であることに限定されず、境界線の少なくとも一部が曲線になっているものであってもよい。
このような本実施形態は、粘着領域２５１と非粘着領域２５２との境界線が緩やかになり、境界かかる張力が緩やかに変化しながら粘着領域２５１に拡散するようになる。このような構成により、本実施形態は、タックラベル２１をいっそう破れ難くすることができる。
【００３４】
また、図４（ａ）に示した非粘着領域２５２は、延出部２５２ａの交差方向Ｂの長さが、上縁部ｕ、または上縁部ｕと近接する位置よりも上縁部ｕと反対側の下端部２５２ｃにおいて短くなっている。このような構成により、本実施形態は、剥がれ始めにかかる張力に抗するタックラベル２１の粘着力を低減し、タックラベル２１が破れることを防ぐことができる。また、粘着領域２５１の面積を上縁部ｕの側から連続的に変化させながら下縁部ｄに向かって大きくしている。このため、非粘着領域２５２は、非粘着領域２５２の粘着力が上縁部ｕの側から下縁部ｄに向けて徐々に変化して応力集中が起こり難くなることにより、上縁部ｕが破れることを抑制する効果をいっそう高めることができる。
このような効果は、境界線ｓが直線である図４（ｂ）に示した構成においても得ることができる。すなわち、図４（ｂ）に示した粘着面２４は、粘着領域２５３、非粘着領域２５４を有している。非粘着領域２５４は、中心線ｃを含む位置に形成され、中心線ｃ上で重なり部３０６を形成する。非粘着領域２５４は延出方向Ａに延びる延出部２５４ａ及び交差方向Ｂに延びる交差延出部２５４ｂを有している。非粘着領域２５４は、延出部２５４ａの交差方向Ｂの長さが、上縁部ｕ、または上縁部ｕと近接する位置よりも下端部２５４ｃにおいて短くなっている。
【００３５】
以上説明した本実施形態は、非粘着領域が粘着面の上縁部に接し、または上縁部と近接し、かつ上縁部と反対の方向に延出する延出部を有しているため、タックラベル２１の上方から下方に掛けて粘着力の弱い部分を有することになる。また、延出部の延出方向の長さが粘着面の延出方向の長さよりも短いため、粘着面が延出部を超えて下方に広がっており、タックラベル２１と側面１０ｄとの必要な粘着力を確保することができる。そして、下縁部ｄから粘着面２４と側面１０ｄとの間に空気が入ることを防ぎ、タックラベル２１の浮きを抑えることができる。また、本実施形態のタックラベル２１は、延出部の交差方向Ｂの長さが粘着面２４の交差方向の長さよりも短いので、延出方向Ａと平行な辺から粘着面２４と側面１０ｄとの間に空気が入ることを防ぎ、タックラベル２１の浮きを抑えることができる。
【００３６】
さらに、本実施形態は、粘着領域が非粘着領域を交差方向に挟む領域を有するので、非粘着領域が自然中央部近くに配置され、粘着テープ３と重なるようになる。このため、粘着テープ３に張力をかけて粘着テープ３と共にタックラベル２１を剥がす際、タックラベル２１の剥離に必要な張力が小さくなり、大きな張力を加えなくともタックラベル２１を剥がすことができる。このため、タックラベル２１を低コストの紙製にしても、タックラベル２１が破れることを抑制して粘着テープ３と共に容易に剥がすことができる。
以上説明したように、本実施形態は、タックラベルが破れることを防いで開梱作業の効率を高め、かつ低コストのタックラベル及びこのタックラベルを含む梱包ユニットを提供することができる。
【００３７】
上記実施形態は以下の技術思想を包含するものである。
＜１＞  物品を収容する収容部及び前記収容部を閉じる蓋部を有する梱包物に貼り付けられるタックラベルであって、文字、図画及び図形の少なくとも一つを含む画像が描画された主面である描画面と、前記描画面に対する裏面に形成されて粘着性を有する粘着領域及び当該粘着領域の粘着力よりも粘着力が弱い非粘着領域を有する粘着面と、を有し、前記非粘着領域は、前記画像に基づいて定められた前記粘着面の上縁部に接し、または前記上縁部と近接し、かつ前記上縁部と反対の方向に延出する延出部を有し、前記延出部は、延出方向の長さが前記粘着面の前記延出方向の長さよりも短く、前記延出方向と交差する交差方向の長さが前記粘着面の前記交差方向の長さよりも短く、前記粘着領域は、前記非粘着領域を前記交差方向に挟む領域を有する、タックラベル。
＜２＞  前記延出部は、前記上縁部、または前記上縁部と近接する位置よりも前記上縁部と反対側の端部において前記交差方向の長さが短い、＜１＞のタックラベル。
＜３＞  前記粘着領域と前記非粘着領域との境界線の少なくとも一部が曲線である、＜２＞のタックラベル。
＜４＞  前記非粘着領域は、前記上縁部または前記上縁部に近接する位置を含み、前記交差方向に延出する交差延出部をさらに有する、＜１＞から＜３＞のいずれか一つのタックラベル。
＜５＞  物品を収容する収容部及び前記収容部を閉じる蓋部を有する梱包物と、前記収容部を構成する壁部の離間する部分のそれぞれ外表面に貼り付けられる少なくとも二つのタックラベルと、二つの前記タックラベル、二つの前記タックラベルの間にある前記外表面及び前記蓋部に貼り付けられる粘着テープと、を含み、前記タックラベルの少なくとも一方は、文字、図画及び図形の少なくとも一つを含む画像が描画された主面である描画面と、前記描画面に対する裏面に形成されて粘着性を有する粘着領域、当該粘着領域の粘着力よりも粘着力が弱い非粘着領域を有する粘着面と、を有し、前記非粘着領域は、前記粘着テープが貼り付けられた状態で前記粘着テープと重なる重なり部を有する、梱包ユニット。
＜６＞  前記非粘着領域は、前記画像に基づいて定められた前記粘着面の上縁部に接し、または前記上縁部と近接し、かつ前記上縁部と反対の方向に延出する延出部を有し、前記重なり部を超えて前記延出部の延出方向または前記延出方向に対する交差方向に延出する、＜５＞の梱包ユニット。
【符号の説明】
【００３８】
１・・・梱包ユニット
２・・・タックラベル
３・・・粘着テープ
３ａ・・・上面貼付部
３ｂ、３ｃ・・・側面貼付部
５・・・物品
１０・・・梱包物
１０ａ、１０ｂ・・・蓋部
１０ｃ、１０ｄ、１０ｅ、１０ｆ・・・側面
１０ｇ・・・下面
１１・・・上面
１２・・・収容部
２１、２２・・・タックラベル
２４・・・粘着面
２５・・・描画面
２６・・・画像
２４１、２４３、２４５、２４７、２４９、２５１、２５３・・・粘着領域
２４２、２４４、２４６、２４８、２５０ａ、２５０ｂ、２５２、２５４・・・非粘着領域
２４２ａ、２４４ａ、２４６ａ、２４８ａ、２５２ａ、２５４ａ・・・延出部
２４２ｂ、２４６ｂ、２４８ｂ、２５２ｂ、２５４ｂ・・・交差延出部
２５２ｃ、２５４ｃ・・・端部
３００、３０１、３０２、３０３、３０４、３０５、３０６・・・重なり部
Ａ・・・延出方向
Ｂ・・・交差方向
Ｓ・・・境界線
ｃ・・・中心線
ｄ・・・下縁部
ｕ・・・上縁部
【図１】
2019113805.tif 000003
【図２】
2019113805.tif 000004
【図３】
2019113805.tif 000005
【図４】
2019113805.tif 000006